(57)【要約】【課題】長期間保存しても異臭や酸化臭の発生が無く、風味も良好であり、更にはＰ．Ｏ．Ｖ．の上昇も少なく、更には乳由来のアレルギー物質やミルク臭等の問題も無い、保存性良好な米などの穀類乾燥品、穀類乾燥加工品に関する技術の提供。【解決手段】穀類をα化する工程と、該α化した穀類を乾燥する工程とを含む、乾燥穀類又は乾燥穀類加工品の製造方法において、該乾燥工程前に、α化した穀類に対して０．０５〜５重量％の中鎖脂肪酸トリグリセライドを添加する工程を含むことを特徴とする方法。【選択図】      なし【特許請求の範囲】
【請求項１】
穀類をα化する工程と、該α化した穀類を乾燥する工程とを含む、乾燥穀類又は乾燥穀類加工品の製造方法において、該乾燥工程前に、α化した穀類に対して０．０５〜５重量％の中鎖脂肪酸トリグリセライドを添加する工程を含むことを特徴とする方法。
【請求項２】
該添加工程において、中鎖脂肪酸トリグリセライドと共に、中鎖脂肪酸トリグリセライドに対して０．０１〜１０重量％のビタミンＥを添加する、請求項１記載の方法。
【請求項３】
穀類が米である、請求項１又は２記載の方法。
【請求項４】
請求項１〜３のいずれか一項記載の方法に従って製造された乾燥穀類又は乾燥穀類加工品。
【発明の詳細な説明】
【０００１】
【発明の属する技術分野】
本発明は、乾燥アルファ化米（白米、かゆ、五目御飯、赤飯等）、乾燥アルファ化米粉等の乾燥米飯・乾燥米飯加工品をはじめとする、乾燥穀類や乾燥穀類加工品及びその製造方法に関し、特に、保存性に優れた乾燥穀類や乾燥穀類加工品及びその製造方法に関する。
【０００２】
【従来の技術】
従来より、米等の炊飯米を乾燥して得られる商品として乾燥アルファ化米、フレーク状の米粉、フリーズドライ米飯等があり、これらに調味成分や具材を添加又は添付したりしたものなどもある。また、かゆ状にしたものや、雑穀（ヒエ、キビ、粟等）等も単独又は混ぜたものなどもある。これらは、湯を加えるだけで復元することから即席的に食することができ便利である。このため、硬さや形状を変えれば、一般食としてだけでなく、乳児食、病人食、高齢者向け食品として更には保存食としても利用することができ、これらの乾燥食品は有用である。
【０００３】
ところが、米等の穀類乾燥品、乾燥加工品は、本来風味が変化しやすく、またそれに含まれる油脂も酸化し易く、異臭、酸化臭の発生等が短期間で起こることが一般的である。レトルト米飯を含む炊飯した含水状態の米においてさえ風味の変化、異臭、酸化臭の問題発生が知られており、乾燥したものは乾燥工程で熱がかかる事、圧篇されたり、多孔質構造となり空気（酸素）と接触する面積が多くなり、酸化などにより風味の劣化、異臭等の発生が起こりやすくなる。これらは、遮光し密封、あるいは酸素との遮断を行えば１年以上は官能的には品質が保持できる場合もあるが、概ね商品の品質保持期間は、３〜６ヶ月である。ここで、乾燥α化米の酸化臭を防止する従来技術に、脱脂粉乳とビタミンＥとを組合わせものを用いたものがある（特許文献１参照）。しかし、この技術は、実際に使用した場合には乳由来のアレルギー物質を含むことになり、ミルク臭等の問題も抱えている。
【０００４】
【特許文献１】
特公平４−３９３０６号公報
【０００５】
【発明が解決しようとする課題】
本発明は、長期間保存しても異臭や酸化臭の発生が無く、風味も良好であり、更にはＰＶの上昇も少なく、更には乳由来のアレルギー物質やミルク臭等の問題も無い、保存性良好な米などの穀類乾燥品、穀類乾燥加工品及びその製造方法を提供することを目的とする。
【０００６】
【課題を解決するための手段】
本発明（１）は、穀類をα化する工程と、該α化した穀類を乾燥する工程とを含む、乾燥穀類又は乾燥穀類加工品の製造方法において、該乾燥工程前に、α化した穀類に対して０．０５〜５重量％の中鎖脂肪酸トリグリセライドを添加する工程を含むことを特徴とする方法である。
【０００７】
また、本発明（２）は、該添加工程において、中鎖脂肪酸トリグリセライドと共に、中鎖脂肪酸トリグリセライドに対して０．０１〜１０重量％のビタミンＥを添加する、前記発明（１）の方法である。
【０００８】
更に、本発明（３）は、穀類が米である、前記発明（１）又は（２）の方法である。
【０００９】
また、本発明（４）は、前記発明（１）〜（３）のいずれか一つの方法に従って製造された乾燥穀類又は乾燥穀類加工品である。
【００１０】
【発明の実施の形態】
まず、本明細書で用いられている用語の意義について説明する。
【００１１】
「穀類」とは、イネ科植物の種子を指し、例えば、米、ヒエ、キビ、粟等が挙げられる。米の場合、種類や部位は特に限定されず、うるち米（低アミロース米を含む）やもち米でも、また、白米でも玄米でもよい。
【００１２】
「乾燥穀類」とは、穀類をα化した後に乾燥させたものをいう。例えば、いわゆるアルファ米（本明細書にいう「乾燥アルファ化米」）を挙げることができる。
【００１３】
「乾燥穀類加工品」とは、穀類に手を加えた後に乾燥させたものと、乾燥穀類に手を加えたものの両方を含む概念である。前者の例としては、穀類に調味料や具材等を入れた加工品（例えば炊込み御飯）を乾燥させたもの、後者の例としては、乾燥後に乾燥した具材や調味料を加えたものや乾燥穀類を粉末化したものを挙げることができる。
【００１４】
「α化」とは、β−澱粉をα−澱粉に変えることを指す。
【００１５】
「中鎖脂肪酸トリグリセライド」とは、炭素数６〜１２（好適には８〜１０）の脂肪酸とグリセリンとのトリエステルを意味する。ここで、使用可能な脂肪酸としては、カプロン酸、カプリル酸、カプリン酸、ラウリン酸等を挙げることができる。加えて、このトリエステルを構成する３個のアシル基は、すべて同一でも、二つが同一でも、三つとも相違していてもよい。また、複数種を組み合わせて用いてもよい。なお、これは一般にＭＣＴオイルといわれており、容易に入手可能である。
【００１６】
「ビタミンＥ」は、α−，β−，γ−及びδ−トコフェロール並びにα−，β−，γ−及びδ−トコトリエノールのいずれかまたはこれらの組み合わせを指す。
【００１７】
以下、本発明に係る乾燥穀類又は乾燥穀類加工品の製造方法につき説明する。尚、以下の説明では、穀類の一つである米について具体的に行うが、他の穀類についても当業者であれば、本明細書の記載に基づき容易に実施可能である。
【００１８】
まず、本方法は、原料である米をアルファ化してアルファ化米を得る工程を含む。ここで、アルファ化させる好適な手段としては、炊飯｛容器に米と水を入れ電気やガス等の熱によりご飯を炊きあげること（バッチ式）｝や、上記処理乃至は蒸煮（米を金網のベルトコンベアに均一に層状に並べ、蒸気相内を連続的に流すことにより、ご飯に炊きあげること）を挙げることができる。なお、本明細書にいう「アルファ化米」とは、澱粉がアルファ化している米を意味し（例えば、炊きたてご飯）、乾燥させたものは含まない概念である。
【００１９】
ここで得られたアルファ化米の水分含量は、おこわ程度の炊飯状態からお粥の炊飯水分までとするが、好適には５５〜９０重量％、より好適には６０〜７０重量％に調節する。なお、本明細書における水分含量（調湿水分量を含む）は、赤外線水分計により測定された値をいう。
【００２０】
本方法は、アルファ化米を乾燥させて乾燥アルファ化米を得る工程を更に含む。乾燥工程は特に限定されず、熱風乾燥、真空乾燥、凍結乾燥、ローラー乾燥、高周波乾燥、天日乾燥等が採用しうる。但し、好適には熱風乾燥であり、具体的には、６０〜１００℃の温度で、１〜２時間程度の時間、乾燥させることが好適である。また、乾燥手段としては、例えば、パンド乾燥、棚式乾燥等を挙げることができる。尚、乾燥の程度であるが、アルファ澱粉の安定性、タンパク質の熱変成、乾燥変形による復元性の劣化の観点から、乾燥アルファ化米の水分含量が、１〜１５％となる程度まで乾燥させることが好適である。
【００２１】
そして、本発明は、乾燥工程の前に、α化米に対して０．０５〜５重量％の中鎖脂肪酸トリグリセライドを添加する工程を含むことを特徴とする。ここで、乾燥工程前に添加する理由は、乾燥時に熱がかかり油脂の劣化が起こり易いためである。また、添加方法としては、炊飯後、噴霧添加する方式を採ることが挙げられる。尚、中鎖脂肪酸トリグリセライドを添加するタイミングは、乾燥工程前であれば特に限定されないが、好ましくは、アルファ化工程後乾燥工程前である。但し、均一に穀類に行き渡るために、α化工程前に添加してもよい。
【００２２】
更に、該添加工程において、中鎖脂肪酸トリグリセライドとビタミンＥとを組み合わせて使用することが好適である。この場合、ビタミンＥの量は、中鎖脂肪酸トリグリセライドに対して０．０１〜１０重量％とすることが好適である。
【００２３】
尚、本方法は、好適には、乾燥工程の後に、乾燥アルファ化米を焙煎して膨化乾燥アルファ化米を得る工程を含む。ここで、「膨化」とは、吸水性を上げるために、乾燥アルファ化米内部に空洞を形成させる操作をいう。本工程は、好適には１２０〜２５０℃、より好適には１４０〜２２０℃で、３０〜１２０秒焙煎を行なう。また、復元時間、米粒組織の破壊防止、膨潤しすぎによる崩壊防止等の観点から、焙煎後の比容積（ｍｌ／ｇ）は２〜５であることが好適である。なお、本明細書の「比容積」は、ブラウエル穀粒計により測定された値をいう。
【００２４】
尚、焙煎工程の前に、必要に応じ、乾燥アルファ化米の水分量が均等になるように調整する調湿工程（テンパリング工程）を更に含んでいてもよい。特に、ハンドリングの観点からは、一度過剰に乾燥させた後（例えば、２重量％程度低め）に調湿するという手法を講じることで、乾燥アルファ化米の水分量を容易に均等にすることができるため好適である。ここで、調湿手段としては、例えば、乾燥アルファ化米をタンクに入れ、一定の高湿度・温度の空気を送風循環（対流）させることにより、徐々にゆっくりと乾燥アルファ化米の水分含量を上げる方法が挙げられる。また、調湿水分は、焙煎機の種類、能力により異なるが、７〜１５重量％とすることが好ましい。
【００２５】
また、アルファ化米を得る工程において、乾燥アルファ化米及び膨化アルファ化米を得る工程において、食塩、油脂、アミノ酸等の調味料、香料等添加物を添加してもよい。
【００２６】
【実施例】
以下に本発明の実施例を示すが、本発明は、これらの実施例になんら限定されるものではない。
【００２７】
実施例１
まず、精米歩合８８％の米（平成１３年度産ミルキークイーン）１０００ｇを乾式洗米し、水に２時間浸漬した後で炊飯した。そして、中鎖脂肪酸トリグリセライド｛Ｏ．Ｄ．Ｏ  日本製油（株）製｝７．８ｇ（炊飯米に対して０．３重量％）を直接噴霧した後、熱風乾燥（７０℃  １時間）した。調湿（水分１４．５％）した後、流動式焙煎機により１２０℃で３０秒間、１５０℃で３０秒間の条件で焙煎、膨化させた。そして、この乾燥アルファ化米２０ｇをアルミ袋に入れ、窒素置換しながら、乾燥アルファ化米封入アルミ袋を得た。
【００２８】
実施例２〜４
中鎖脂肪酸トリグリセライド（Ｏ．Ｄ．Ｏ）の噴霧の際、ビタミンＥ｛イーミックスＤ  エーザイ（株）製｝とを組み合わせたものを用いた点を除き、実施例１と同様の方法で、乾燥アルファ化米封入アルミ袋を得た。ビタミンＥの使用量は、実施例２では０．６２５ｍｇ％（乾燥アルファ化米に対して）、実施例３では１．２５ｍｇ％（乾燥アルファ化米に対して）、実施例４では１２．５ｍｇ％（乾燥アルファ化米に対して）とした。尚、実施例２〜４の調湿後の水分は、夫々、１３．７％、１１．８％、１１．７％とした。
【００２９】
実施例５
中鎖脂肪酸トリグリセライド（Ｏ．Ｄ．Ｏ）の噴霧の際、ビタミンＥを含有する乳化剤１７．２ｍｇ％｛理研Ｅ乳剤１４ＳＰ  理研ビタミン（株）製  ビタミンＥ含量約２０％｝を加える点を除き、実施例１と同様の方法で、乾燥アルファ化米封入アルミ袋を得た。尚、調湿後の水分は、１３．２％とした。
【００３０】
比較例１
ＯＤＯを噴霧しない点を除き、実施例１と同様の方法で乾燥アルファ化米封入アルミ袋を得た。調湿後の水分は、１１．７％とした。
【００３１】
評価
実施例１〜５及び比較例１につき、スタート時、３７℃で２ヶ月及び４ヶ月保管した時及び室温下に２ヶ月及び４ヶ月保管した時の、外観、風味（加水前、加水後）、臭い（加水前、加水後）に関して、５段階評価し、ＰＯＶ値の測定を実施した。その結果を表１〜３に示す。
【００３２】
【表１】
2004215553.tif 000002
【００３３】
【表２】
2004215553.tif 000003
【００３４】
【表３】
2004215553.tif 000004
【００３５】
これらの表からも分かるように、実施例に関しては、室温、３７℃共に２ヶ月間では、外観・風味上における変化は問題なしとの結果となった。このように、ＯＤＯ及びビタミンＥ添加の効果がはっきり見られた。しかも、これらを添加しても、風味を損なう等、風味上の影響は殆ど無いことも判明した。
【００３６】
実施例６〜１０及び比較例２
アルミ袋封入の際に窒素置換をしない点を除き、実施例１〜５及び比較例１と同様の方法で、乾燥アルファ化米封入アルミ袋を得た。その結果を表４に示す。
【００３７】
【表４】
2004215553.tif 000005
【００３８】
【発明の効果】
本発明によれば、長期間保存しても異臭や酸化臭の発生が無く、風味も良好であり、更にはＰＶの上昇も少ない、保存性良好な米などの穀類乾燥品、穀類乾燥加工品を得ることができる。
【手続補正書】
【提出日】平成15年7月30日(2003.7.30)
【手続補正１】
【補正対象書類名】明細書
【補正対象項目名】０００５
【補正方法】変更
【補正の内容】
【０００５】
【発明が解決しようとする課題】
本発明は、長期間保存しても異臭や酸化臭の発生が無く、風味も良好であり、更にはＰ．Ｏ．Ｖ．の上昇も少なく、更には乳由来のアレルギー物質やミルク臭等の問題も無い、保存性良好な米などの穀類乾燥品、穀類乾燥加工品及びその製造方法を提供することを目的とする。


【手続補正２】
【補正対象書類名】明細書
【補正対象項目名】００２０
【補正方法】変更
【補正の内容】
【００２０】
本方法は、アルファ化米を乾燥させて乾燥アルファ化米を得る工程を更に含む。乾燥工程は特に限定されず、熱風乾燥、真空乾燥、凍結乾燥、ローラー乾燥、高周波乾燥、天日乾燥等が採用しうる。但し、好適には熱風乾燥であり、具体的には、６０〜１００℃の温度で、１〜２時間程度の時間、乾燥させることが好適である。また、乾燥手段としては、例えば、バンド乾燥、棚式乾燥等を挙げることができる。尚、乾燥の程度であるが、アルファ澱粉の安定性、タンパク質の熱変成、乾燥変形による復元性の劣化の観点から、乾燥アルファ化米の水分含量が、１〜１５％となる程度まで乾燥させることが好適である。


【手続補正３】
【補正対象書類名】明細書
【補正対象項目名】００２７
【補正方法】変更
【補正の内容】
【００２７】
実施例１
まず、精米歩合８８％の米(平成１３年度産ミルキークイーン)１０００ｇを乾式洗米し、水に２時間浸漬した後で炊飯した。そして、中鎖脂肪酸トリグリセライド｛Ｏ．Ｄ．Ｏ  日清製油（株）製｝７．８ｇ（炊飯米に対して０．３重量％）を直接噴霧した後、熱風乾燥（７０℃  １時間）した。調湿（水分１４．５％）した後、流動式焙煎機により１２０℃で３０秒間、１５０℃で３０秒間の条


【手続補正４】
【補正対象書類名】明細書
【補正対象項目名】００３０
【補正方法】変更
【補正の内容】
【００３０】
比較例１
Ｏ．Ｄ．Ｏを噴霧しない点を除き、実施例１と同様の方法で乾燥アルファ化米封入アルミ袋を得た。調湿後の水分は、１１．７％とした。


【手続補正５】
【補正対象書類名】明細書
【補正対象項目名】００３１
【補正方法】変更
【補正の内容】
【００３１】
評価
実施例１〜５及び比較例１につき、スタート時、３７℃で２ヶ月及び４ヶ月保管した時及び室温下に２ヶ月及び４ヶ月保管した時の、外観、風味（加水前、加水後）、臭い（加水前、加水後）に関して、５段階評価し、Ｐ．Ｏ．Ｖ．値の測定を実施した。その結果を表１〜３に示す。


【手続補正６】
【補正対象書類名】明細書
【補正対象項目名】００３２
【補正方法】変更
【補正の内容】
【００３２】
【表１】
2004215553.tif 000006
【手続補正７】
【補正対象書類名】明細書
【補正対象項目名】００３３
【補正方法】変更
【補正の内容】
【００３３】
【表２】
2004215553.tif 000007
【手続補正８】
【補正対象書類名】明細書
【補正対象項目名】００３４
【補正方法】変更
【補正の内容】
【００３４】
【表３】
2004215553.tif 000008
【手続補正９】
【補正対象書類名】明細書
【補正対象項目名】００３５
【補正方法】変更
【補正の内容】
【００３５】
これらの表からも分かるように、実施例に関しては、室温、３７℃共に２ヶ月間では、外観・風味上における変化は問題なしとの結果となった。このように、Ｏ．Ｄ．Ｏ及びビタミンＥ添加の効果がはっきり見られた。しかも、これらを添加しても、風味を損なう等、風味上の影響は殆ど無いことも判明した。


【手続補正１０】
【補正対象書類名】明細書
【補正対象項目名】００３７
【補正方法】変更
【補正の内容】
【００３７】
【表４】
2004215553.tif 000009
【手続補正１１】
【補正対象書類名】明細書
【補正対象項目名】００３８
【補正方法】変更
【補正の内容】
【００３８】
【発明の効果】
本発明によれば、長期間保存しても異臭や酸化臭の発生が無く、風味も良好であり、更にはＰ．Ｏ．Ｖ．の上昇も少ない、保存性良好な米などの穀類乾燥品、穀類乾燥加工品を得ることができる。